(57)【要約】【課題】手首や足首などの太さにあった状態に巻付け直径を任意の長さに調節可能とし、情報表示部２の表裏両面に個人情報を表示可能としたリストバンドを提供すること。【解決手段】情報表示部２を表面側表示部４および裏面側表示部５に分割し、バンド部３は表面側表示部４および裏面側表示部５の間の折畳み線６に向かってその自由端部３Ｃを挟み込みようにして巻付け用輪を形成可能として、バンド部３の自由端部３Ｃの挟込み長さを調節して巻付け用輪の大きさを任意に調節可能であることに着目したもので、情報表示部２を同じ面積および大きさの表面側表示部４および裏面側表示部５に分割して、その間の折畳み線６において折り畳み可能とし、バンド部３は、折畳み線６に向かってその自由端部３Ｃを表面側表示部４および裏面側表示部５の間に挟み込み可能に変形し、四肢に巻き付けることができる巻付け用輪を形成可能としたことを特徴とする。【選択図】図１
2008197340.tif 000002
【特許請求の範囲】
【請求項１】
ある人体の個人情報を表示可能な情報表示部と、この情報表示部に連結しているとともにこの人体の四肢の少なくともいずれかひとつに巻き付けるバンド部と、を有するリストバンドであって、
前記情報表示部は、これを同じ面積および大きさの表面側表示部および裏面側表示部に分割して、その間の折畳み線において折り畳んで前記個人情報を表示可能であるとともに、
前記バンド部は、前記折畳み線に向かってその自由端部を前記表面側表示部および前記裏面側表示部の間に挟み込み可能に変形し、前記四肢に巻き付けることができる巻付け用輪を形成可能としたことを特徴とするリストバンド。
【請求項２】
前記表面側表示部および前記裏面側表示部には、同じ内容の前記個人情報を印字可能としたことを特徴とする請求項１記載のリストバンド。
【請求項３】
前記表面側表示部および前記裏面側表示部の少なくともいずれか一方の裏面に粘着剤層を形成し、前記表面側表示部および前記裏面側表示部を貼り合わせ可能としてあることを特徴とする請求項１記載のリストバンド。
【請求項４】
前記情報表示部は、これを矩形状に形成するとともに、
前記バンド部は、前記情報表示部のいずれかの一辺にこれを一体的に連結していることを特徴とする請求項１記載のリストバンド。
【請求項５】
前記バンド部は、前記表面側表示部および前記裏面側表示部の間に折り畳む長さを調節することにより前記巻付け用輪の直径を調節可能としてあることを特徴とする請求項１記載のリストバンド。
【請求項６】
前記バンド部は、前記折畳み線に直交する方向から前記折畳み線に向かってこれを変形可能としていることを特徴とする請求項１記載のリストバンド。
【請求項７】
前記バンド部は、前記折畳み線に平行な方向から前記折畳み線に向かってこれを変形可能としていることを特徴とする請求項１記載のリストバンド。
【請求項８】
前記バンド部は、その幅方向における中心線で折り畳んで重ね合わせるようにしたことを特徴とする請求項１記載のリストバンド。
【請求項９】
前記折畳み線の中央部に位置して、前記バンド部の前記自由端部を挿通可能としたスリットを前記情報表示部に形成してあることを特徴とする請求項１記載のリストバンド。
【請求項１０】
前記折畳み線は、前記バンド部の幅方向に対して平行であることを特徴とする請求項１記載のリストバンド。
【請求項１１】
前記折畳み線は、前記バンド部の長さ方向に対して平行であることを特徴とする請求項１記載のリストバンド。
【発明の詳細な説明】
【技術分野】
【０００１】
本発明はリストバンドにかかるもので、とくに病院や遊園地などで患者や入園者の四肢たとえば手首あるいは足首に環状にゆるく巻き付けて個人情報を表示ないし保持するために用いられるリストバンドに関するものである。
【背景技術】
【０００２】
従来から、病院などにおいて患者の診療科、氏名、年齢、血液型などその個人固有の識別データをリストバンドに印字して表示した上で、患者の四肢たとえば手首あるいは足首に環状にゆるく巻き付けて、患者の特定を確実にすることが行われている。
【０００３】
このようなリストバンドとして、長時間の使用に耐え得るように柔らかくて、手首や足首などに巻き付けて利用可能なものは多種あるが、主に、生まれたばかりの乳児などの足首に巻き付けて利用するリストバンドでは、情報の表示部が見やすいものがないという問題がある。
さらに、バンド部分が固定長となっているため、足首などに適した状態でセットすることが困難であるという問題がある。
なお、一般人向けのリストバンドとしても、調節孔を所定間隔で設けてあってバンド部の長さを調節することができるものがあるが、この調節孔の間隔の範囲内で調節可能なのであって、より適切な調節が困難であるという問題がある。
【０００４】
【特許文献１】特開２００４−２９８４４３号公報
【発明の開示】
【発明が解決しようとする課題】
【０００５】
本発明は以上のような諸問題にかんがみなされたもので、情報表示部を大きくして、見やすいものとすることができるリストバンドを提供することを課題とする。
【０００６】
また本発明は、手首や足首などの太さにあった状態に巻付け直径を任意の長さに調節可能としたリストバンドを提供することを課題とする。
【０００７】
また本発明は、情報表示部の表裏両面に個人情報を表示可能としたリストバンドを提供することを課題とする。
【課題を解決するための手段】
【０００８】
すなわち本発明は、情報表示部を同じ面積および大きさの表面側表示部および裏面側表示部に分割すること、バンド部は表面側表示部および裏面側表示部の間の折畳み線に向かってその自由端部を挟み込みようにして四肢に巻き付けることができる巻付け用輪を形成可能とすること、したがって、バンド部の自由端部の挟込み長さを調節して巻付け用輪の大きさを任意に調節可能であることに着目したもので、ある人体の個人情報を表示可能な情報表示部と、この情報表示部に連結しているとともにこの人体の四肢の少なくともいずれかひとつに巻き付けるバンド部と、を有するリストバンドであって、上記情報表示部は、これを同じ面積および大きさの表面側表示部および裏面側表示部に分割して、その間の折畳み線において折り畳んで上記個人情報を表示可能であるとともに、上記バンド部は、上記折畳み線に向かってその自由端部を上記表面側表示部および上記裏面側表示部の間に挟み込み可能に変形し、上記四肢に巻き付けることができる巻付け用輪を形成可能としたことを特徴とするリストバンドである。
【０００９】
上記表面側表示部および上記裏面側表示部には、同じ内容の上記個人情報を印字可能とすることができる。
【００１０】
上記表面側表示部および上記裏面側表示部の少なくともいずれか一方の裏面に粘着剤層を形成し、上記表面側表示部および上記裏面側表示部を貼り合わせ可能としてあることができる。
【００１１】
上記情報表示部は、これを矩形状に形成するとともに、上記バンド部は、上記情報表示部のいずれかの一辺にこれを一体的に連結していることができる。
【００１２】
上記バンド部は、上記表面側表示部および上記裏面側表示部の間に折り畳む長さを調節することにより上記巻付け用輪の直径を調節可能としてあることができる。
【００１３】
上記バンド部は、上記折畳み線に直交する方向から上記折畳み線に向かってこれを変形可能としていることができる。
【００１４】
上記バンド部は、上記折畳み線に平行な方向から上記折畳み線に向かってこれを変形可能としていることができる。
【００１５】
上記バンド部は、その幅方向における中心線で折り畳んで重ね合わせるようにすることができる。
【００１６】
上記折畳み線の中央部に位置して、上記バンド部の上記自由端部を挿通可能としたスリットを上記情報表示部に形成してあることができる。
【００１７】
上記折畳み線は、上記バンド部の幅方向に対して平行であることができる。
【００１８】
上記折畳み線は、上記バンド部の長さ方向に対して平行であることができる。
【００１９】
上記リストバンドには、帯状の台紙を裏打ちして、任意のプリンターに装填し、必要な情報を印字可能とすることができる。
上記情報表示部は、上記バンド部の一端側に位置して任意の大きさとすることができるとともに、その幅よりも大きな幅を有することができる。
上記情報表示部は、矩形状のみならず、三角形状や円形状など任意の形状にこれを形成することができる。
上記情報表示部は、その表裏両面に上記個人情報を表示可能とすることが望ましいが、その上記表面側表示部および上記裏面側表示部のいずれか一方のみに表示することもできる。
さらに、上記個人情報を電子化して、非接触でデータの書込みおよび読取りが可能なＲＦＩＤタグ（Ｒａｄｉｏ  Ｆｒｅｑｕｅｎｃｙ  Ｉｄｅｎｔｉｆｉｃａｔｉｏｎ技術によるタグ）をリストバンドに用いることも行われており、このＲＦＩＤタグを備えたリストバンドとすることもできる。
【発明の効果】
【００２０】
本発明によるリストバンドにおいては、情報表示部を同じ面積および大きさの表面側表示部および裏面側表示部に分割し、バンド部は表面側表示部および裏面側表示部の間の折畳み線に向かってその自由端部を挟み込みようにして四肢に巻き付けることができる巻付け用輪を形成可能としたので、バンド部の自由端部の挟込み長さを上記四肢の太さに合うように巻付け用輪の直径を調節可能とし、当該リストバンドを取り付ける個人の四肢にあった状態に作成してセット可能で、リストバンドの抜落ちや締付け過ぎなどの問題を解消可能である。
さらに、情報表示部を表面側表示部および裏面側表示部に分割したので、それぞれの面（表裏面）に同じ内容の情報を表示を可能として、任意の方向からも情報を確認することができる。
なお、情報表示部の表面側表示部および裏面側表示部、また、バンド部をそれぞれ貼り合わせ可能とすることができるので、リストバンドとしての剛性および柔軟性を確保可能である。
【発明を実施するための最良の形態】
【００２１】
本発明は、折畳み線において折り畳み可能とした情報表示部にバンド部を挟み込むようにしたので、表裏両面の表示が可能であるとともに、巻付け長さを任意の長さに調節可能なリストバンドを実現した。
【実施例】
【００２２】
つぎに本発明の第１の実施例によるリストバンド１を図１ないし図５にもとづき説明する。
図１は、リストバンド１の平面図、図２は、同、台紙８を剥離した状態のリストバンド１の裏面図であって、リストバンド１は、情報表示部２と、バンド部３と、を有する。
リストバンド１の基材としては、ポリエチレンあるいはその共重合体などから構成して柔軟性を確保したもの、さらに通気性に優れているとともに、長時間の使用にあたっても、蒸れやふやけを引き起こしにくい材質のものを採用する。さらに、基材の厚さを所定レベルに選定することによって、柔軟性および剛性を併せ持つものとする。
【００２３】
情報表示部２は、矩形状であって、これを同じ面積および大きさの表面側表示部４および裏面側表示部５に分割して、その間の（中央の）折畳み線６において折り畳み可能としてあるとともに、その表面に各種文字およびバーコードや二次元コードなどにより個人情報を表示可能である。
上記折畳み線６は、バンド部３の幅方向に対して平行である。
【００２４】
なお、リストバンド１において、表面側表示部４および裏面側表示部５の少なくともいずれか一方の裏面に貼り合わせ用の粘着剤層７を形成し、帯状の台紙８に複数枚のリストバンド１を仮着した状態で提供することも可能であり、任意のプリンター（図示せず）に装填して情報表示部２に、たとえば患者の個人情報を各種文字およびバーコードや二次元コードなどにより印字することができる。
ただし、表面側表示部４および裏面側表示部５には、同じ内容の個人情報を印字可能とすることが望ましい。
折畳み線６の中央部に位置して、たとえば、バンド部３の幅方向に平行な長窓ないしスリット９を情報表示部２に形成してある。このスリット９の長さは、後述するバンド部３の折り畳んで貼り合せた構成の幅よりもわずかに長いものとする。
【００２５】
バンド部３は、情報表示部２に連結しているとともに、人体の四肢の少なくともいずれかひとつに巻き付け可能とするものであって、折畳み線６に直交する情報表示部２の中心線２Ｃに中心を合わせた第１のバンド部３Ａと、この第１のバンド部３Ａと同じ幅でミシン目などによるバンド部折畳み線１０を境界線とした第２のバンド部３Ｂと、を有している。第２のバンド部３Ｂの裏面には粘着剤層７を形成している。
すなわち、バンド部３は、その幅方向における中心線であるバンド部折畳み線１０において第２のバンド部３Ｂを第１のバンド部３Ａ側に折り畳んで貼り合わせ、二重のバンド部３とし、必要な剛性を確保している。
なおバンド部３は、情報表示部２の表面側表示部４あるいは裏面側表示部５いずれかの一辺にこれを一体的に連結しているものであって、この一辺の中央部か否かは任意に設計可能である。
バンド部３は、情報表示部２とは反対側のその自由端部３Ｃを上記スリット９に挿通するように輪状に変形可能としている。
【００２６】
なお、情報表示部２およびバンド部３への粘着剤層７の形成部位は、任意であり、情報表示部２において表面側表示部４および裏面側表示部５を貼り合わせるとともに、バンド部３の自由端部３Ｃを固定することができればよく、さらに、バンド部３においても第１のバンド部３Ａおよび第２のバンド部３Ｂを貼り合わせることができればよい。
粘着剤層７を形成しない部位については、粘着剤を直接塗布しないか、あるいは、粘着剤を塗布したのちに任意の糊不活性化処理（いわゆる糊殺し処理）を行うなどの手法を採用可能である。
【００２７】
また、当該リストバンド１には、たとえばその情報表示部２に、非接触でデータの書込みおよび読取りが可能なＲＦＩＤタグ１１（Ｒａｄｉｏ  Ｆｒｅｑｕｅｎｃｙ  Ｉｄｅｎｔｉｆｉｃａｔｉｏｎ技術によるタグ）を搭載しておくこともできる。
【００２８】
こうした構成のリストバンド１において、患者の四肢に巻き付け可能とするようにこれを構成する操作を以下に説明する。
図３は、表面側表示部４および裏面側表示部５に所定の印字を行い、第１のバンド部３Ａおよび第２のバンド部３Ｂを折り畳んで二重のバンド部３とした状態を示す平面図である。
図４は、リストバンド１を立体的に組み立ててゆく工程を示す斜視図、図５は、バンド部３を最終的に輪状に形成したリストバンド１の斜視図である。
図４に示すように、表面側表示部４および裏面側表示部５の間の折畳み線６に位置するスリット９に向かってバンド部３の自由端部３Ｃを表面側表示部４および裏面側表示部５の間に情報表示部２の内側から挟み込み可能に変形させてゆく。すなわち、手首あるいは足首Ｗなどに巻き掛けるようにバンド部３を、折畳み線６に直交する方向から折畳み線６に向かって変形させてゆく。
ついで、図５に示すように、巻付け用輪１２としての必要かつ適正な長さの直径とする位置で自由端部３Ｃを停止させた状態で、あるいは、スリット９から外方に突出する自由端部３Ｃ部分を切断して、表面側表示部４および裏面側表示部５を貼り合わせてその間に自由端部３Ｃを固定する。
かくして、四肢に巻き付けた状態で巻付け用輪１２を形成するとともに、その端部に情報表示部２を位置させることができる。
なお、表面側表示部４あるいは裏面側表示部５のいずれかの面に情報を表示すればよい構成の場合には、図４に示す状態とは逆に、スリット９に向かってバンド部３の自由端部３Ｃを表面側表示部４および裏面側表示部５の間に情報表示部２の外側から挟み込み可能に変形させてゆくようにしてもよい。
【００２９】
したがって、バンド部３は、表面側表示部４および裏面側表示部５の間に折り畳む長さを調節することにより巻付け用輪１２の直径を調節可能である。
さらに、リストバンド１においては、表面側表示部４および裏面側表示部５に同一の内容を表示することができるので、とくに乳幼児など患者の情報をいずれの方向からも、より簡単かつ確実に確認可能である。
【００３０】
図６は、本発明の第２の実施例によるリストバンド２０の平面図であって、リストバンド２０においては、バンド部２１を二重とせず、リストバンド２０ないしバンド部２１の材質が充分に強ければ、単純な一重構成とすることができる。
このバンド部２１の自由端部２１Ａの裏面にごく短い長さで粘着剤層７を形成し、バンド部２１の台紙８への仮着を可能とするとともに、表面側表示部４および裏面側表示部５の間に自由端部２１Ａを挟み込んで粘着剤層７が前記巻付け用輪１２（図５）の部分に位置しないようにすることができる。
その他の構成については、図１に示した上述のリストバンド１（第１の実施例）と事実上同じであり、既述したと同様な手法によりリストバンド２０を手首あるいは足首Ｗなどに巻き掛け、表裏両面での表示も可能である。
【００３１】
図７は、本発明の第３の実施例によるリストバンド３０の平面図であって、リストバンド３０においては、表面側表示部４および裏面側表示部５の間の折畳み線３１が、バンド部３の長さ方向に対して平行である。
その他の構成は、図１のリストバンド１（第１の実施例）ないし図６のリストバンド２０（第２の実施例）と同様である。
ただし、バンド部３２は、リストバンド２０（図６、第２の実施例）と同様に一重であり、またその長さ方向の一辺が折畳み線３１の中心線３１Ｃに沿っている。
さらに、このリストバンド３０では折畳み線３１の部分に前記スリット９（図１）を形成する必要がない。
【００３２】
図８は、リストバンド１を立体的に組み立ててゆく工程を示す斜視図、図９は、バンド部３２を最終的に輪状に形成したリストバンド３０の斜視図である。
図８に示すように、バンド部３２の自由端部３２Ａを、折畳み線３１に平行な方向から折畳み線３１に向かって輪状に変形するが、患者の手首あるいは足首Ｗに巻き掛ける際に長すぎる場合には、その自由端部３２Ａを表面側表示部４および裏面側表示部５の間から外方に突出させて、余分な長さ分を切断すればよい。
かくして、巻付け用輪３３を患者などの手首あるいは足首Ｗに適正な直径で巻き掛け、リストバンド１（図１）やリストバンド２０（図６）と同様に、両面表示が可能であるとともに、バンド部３２の長さを任意に調節可能なリストバンド３０とすることができる。
【図面の簡単な説明】
【００３３】
【図１】本発明の第１の実施例によるリストバンド１の平面図である。
【図２】同、台紙８を剥離した状態のリストバンド１の裏面図である。
【図３】同、表面側表示部４および裏面側表示部５に所定の印字を行い、第１のバンド部３Ａおよび第２のバンド部３Ｂを折り畳んで二重のバンド部３とした状態を示す平面図である。
【図４】同、リストバンド１を立体的に組み立ててゆく工程を示す斜視図である。
【図５】同、バンド部３を最終的に輪状に形成したリストバンド１の斜視図である。
【図６】本発明の第２の実施例によるリストバンド２０の平面図である。
【図７】本発明の第３の実施例によるリストバンド３０の平面図である。
【図８】同、リストバンド１を立体的に組み立ててゆく工程を示す斜視図である。
【図９】同、バンド部３２を最終的に輪状に形成したリストバンド３０の斜視図である。
【符号の説明】
【００３４】
１  リストバンド（第１の実施例、図１）
２  情報表示部
２Ｃ  情報表示部２の中心線
３  バンド部
３Ａ  バンド部３の第１のバンド部
３Ｂ  バンド部３の第２のバンド部
３Ｃ  バンド部３の自由端部
４  情報表示部２の表面側表示部
５  情報表示部２の裏面側表示部
６  表面側表示部４と裏面側表示部５との間の折畳み線
７  粘着剤層
８  帯状の台紙
９  スリット
１０  バンド部折畳み線
１１  ＲＦＩＤタグ
１２  巻付け用輪（図５）
２０  リストバンド（第２の実施例、図６）
２１  バンド部
２１Ａ  バンド部２１の自由端部
３０  リストバンド（第３の実施例、図７）
３１  折畳み線
３１Ｃ  折畳み線３１の中心線
３２  バンド部
３２Ａ  バンド部３２の自由端部
３３  巻付け用輪（図９）
Ｗ    手首あるいは足首（図４、図５、図８、図９）
【図１】
2008197340.tif 000003
【図２】
2008197340.tif 000004
【図３】
2008197340.tif 000005
【図４】
2008197340.tif 000006
【図５】
2008197340.tif 000007
【図６】
2008197340.tif 000008
【図７】
2008197340.tif 000009
【図８】
2008197340.tif 000010
【図９】
2008197340.tif 000011